(57)【要約】【課題】  北欧に古くから伝わるサウナ小屋の形式を活かすことにより、自宅の庭等にも簡単に構築することができ、合わせて、サウナ浴と入浴（シャワー浴）を楽しみながら休憩、運動、勉強、或いは、各種の趣味等を、トータル的に楽しむことができるように工夫したホームサウナハウスを提供する。【解決手段】  一般家庭の庭等に独立して構築可能な一戸建て構造のハウス体１の内部に、仕切壁５，６，７によって仕切られた防音個室２と、浴室３と、サウナ室４を設ける。【選択図】    図１
2006265862.tif 000002
【特許請求の範囲】
【請求項１】
一般家庭の庭や屋上、或いは、各種施設の庭や空き地等に独立して構築可能な一戸建て構造を備えると共に、一側に玄関ドアーを備えた出入口を設け、且つ、全体を縦長に形成したハウス体の内部を、夫々出入り用のドアーを備えた仕切壁によって少なくとも三つの独立した部屋に仕切り、これ等仕切られた部屋のうち、上記の玄関ドアーを開けて屋外より直接出入りすることができる一番目の部屋を、部屋全体に防音設備が施され、且つ、運動用、各種レジャー用、或いは、勉強用等として多目的に使用可能な防音個室とし、この防音個室に隣接する二番目の部屋を、シャワー設備或いは入浴設備のいずれか一方又は両方を備えた浴室とし、この浴室に隣接する三番目の部屋を、サウナ風呂の設備とサウナ浴用の座席又は椅子と照明器具とを備えたサウナ室としたことを特徴とするホームサウナハウス。
【請求項２】
ハウス体の外観が、ドーム風或いはコテージ風、又は、ログハウス風の独立した家屋構造に造られていることを特徴とする請求項１に記載のホームサウナ室。
【発明の詳細な説明】
【技術分野】
【０００１】
本発明は、自宅の庭や各種施設の空き地等に簡単に設置して利用することができるホームサウナハウスに関する。
【背景技術】
【０００２】
疲労を回復して新陳代謝を活発化し、美容と健康に優れた効果を発揮することができるサウナ浴は、益々愛好者が増加して、一般住宅、諸施設等への設置が進んでいるが、従来の一般的なサウナ風呂（ホームサウナ）は、例えば特許文献１に見られるように、全体が個室タイプに造られていて、この個室タイプのサウナ室の内部にサウナストーブと座席を設置してサウナ浴を行うように構成されている。
【特許文献１】実開平６−２３３８０３号公報
【発明の開示】
【発明が解決しようとする課題】
【０００３】
しかし、上記従来のサウナ室を設置するには、個室タイプといえども広いスペースが要求されるため、既設の家屋をリフオームして設置するには増改築に可成りの時間と費用が掛かる問題がある。
【０００４】
また、サウナ浴を効果的に行うには、サウナ入浴に加えて入浴（シャワー浴）や休憩、運動等を効率良くトータル的に行うのが良いとされているが、日本家屋の建築様式では、これ等の諸設備を備えたサウナスペースを確保することが難しく、更に、これ等のサウナスペースと諸設備を揃えた新築工事、或いは、増改築工事には、計画面やコスト面等で多くの問題があって、容易に実現することができなかった。
【０００５】
本発明は上述した問題点を解消するために成されたものであって、その技術的課題は、北欧に古くから伝わるサウナ小屋の形式を活かすことにより、自宅や各種施設等の庭や空き地にも簡単に構築することができ、合わせて、サウナ浴と入浴（シャワー浴）を楽しみながら休憩、運動、勉強、或いは、各種の趣味等を、トータル的に楽しむことができるように工夫したホームサウナハウスを提供することである。
【課題を解決するための手段】
【０００６】
（１）  上記の技術的課題を解決するために、本発明の請求項１に係るホームサウナハウスは、一般家庭の庭や屋上、或いは、各種施設の庭や空き地等に独立して構築可能な一戸建て構造を備えると共に、一側に玄関ドアーを備えた出入口を設け、且つ、全体を縦長に形成したハウス体の内部を、夫々出入り用のドアーを備えた仕切壁によって少なくとも三つの独立した部屋に仕切り、これ等仕切られた部屋のうち、上記の玄関ドアーを開けて屋外より直接出入りすることができる一番目の部屋を、部屋全体に防音設備が施され、且つ、運動用、各種レジャー用、或いは、勉強用等として多目的に使用可能な防音個室とし、この防音個室に隣接する二番目の部屋を、シャワー設備或いは入浴設備のいずれか一方又は両方を備えた浴室とし、この浴室に隣接する三番目の部屋を、サウナ風呂の設備とサウナ浴用の座席又は椅子と照明器具とを備えたサウナ室としたことを特徴としている。
【０００７】
（２）  更に本発明の請求項２に係るホームサウナハウスは、ハウス体の外観が、ドーム風或いはコテージ風、又は、ログハウス風の独立した家屋構造に造られていることを特徴としている。
【０００８】
以上述べた手段によれば、自宅の庭の狭いスペースや各種施設の庭や空き地等を利用して、外観がドーム風（シェルター風）、コテージ風、或いは、ログハウス風に形成されたホームサウナハウスを設置することができる。また、このホームサウナハウスには、適当な照明の下で座席や椅子に座りながらサウナ浴を楽しむことができるサウナ室に加えて、入浴設備又はシャワー設備を備えた浴室と、多目的な利用を可能にする防音個室が、夫々ドアー付きの仕切壁を隔てて隣接して設けられているため、ホームサウナハウスの中で、サウナ浴と入浴、及び、休憩、運動、各種の趣味等を、他人に煩わされることなくトータル的に楽しむことを可能にする。
【０００９】
更に上記の手段によれば、ハウス体の構造が、防音個室が一番入口側で、その次が浴室、最後がサウナ室の配列になっているため、家族や複数の友人同士で、入浴やシャワー浴を含むサウナ浴と、防音個室での多目的な利用とを、同時に楽しむことも可能とするものであって、サウナ効果をより一層高めることができる。
【発明の効果】
【００１０】
以上述べた次第で、本発明に係るホームサウナハウスによれば、サウナ浴、シャワー浴及び入浴、休憩、運動や勉強並びに各種の趣味等を、効果的に行うことにより、健康と美容の増進を図ってサウナ浴の醍醐味を存分に味わうことができるものであるが、本発明では特に、照明器具及び座席又は椅子を備えたサウナ室と、浴室及び多目的に利用可能な防音個室とを備えたハウス体が、独立した一戸建て構造に構成されているため、屋内にわざわざホームサウナを設置するサウナスペースを設ける必要が全く無く、自宅の庭や屋上等にそのまま設置して、比較的短時間のうちに、簡単に且つ低コストにて一般家庭にドーム風、コテージ風、又は、ログハウス風のホームサウナを構築することができる利点を発揮することができる。
【００１１】
また、本発明のホームサウナハウスは、これをホテルとか各種スポーツ施設、或いは、各種の職場や現場、各種の娯楽場、公共施設、又は、町場の各種施設等に附設することによって、サービス用或いは業務用として使用することも可能であって、全体を組立て及び分解自在で移築可能なプレハブ構造に構成することにより、更にその利便性を高めることができる。
【発明を実施するための最良の形態】
【００１２】
以下に上述した本発明に係るホームサウナハウスの好適な実施の形態を図面と共に説明すると、図１は本発明に係るホームサウナハウスの内部構造を示した斜視図であって、ハウス体１の全体のサイズは、例えば図５に示した標準間取りの寸法に造られていて、床面積は９．９６ｍ２（３坪弱）に成っているが、これ等のサイズはいずれも実施の一例であることは勿論である。
【００１３】
ハウス体１の外観は図示の場合は縦長のドーム風（シェルター風）に造られているが、これは実施の一例であって、一般家庭の庭や屋上等に設置しても違和感がないように、図１に示したドーム風のハウス体１を半地下構造に造ったり、或いは、図３に示すようにコテージ風のハウス体１Ｘに造ったり、図４に示すようにログハウス風（サウナ小屋風）のハウス体１Ｙに造ったりすることにより、各種の注文に応じることを可能にしている。
【００１４】
図１において、符号２、３、４で夫々全体的に示したのは、夫々出入り用のドアー５Ｄ，６Ｄ，７Ｄを備えた仕切壁５，６，７によって仕切られた、防音個室と、浴室とサウナ室であって、１Ｅはエントランス、１Ｈはハウス体１の基礎ベースを示す。
【００１５】
エントランス１Ｅから入口のドアー５Ｄ（１番目の玄関ドアー）を開いて入る１番目の部屋は、周囲の壁や前後のドアー５Ｄ，６Ｄに防音材を介在した防音個室２に成っていて、図１の実施例ではこれを音楽を楽しむ音楽室２Ｔとして利用しているが、この防音個室２を例えば図２（Ａ）に示すように各種のスポーツを楽しむスポーツ室２Ａとしたり、同図（Ｂ）に示すように各種趣味を楽しむ趣味室２Ｂや休憩室としたり、或いは、同図（Ｃ）に示すように勉強室２Ｃとして利用することができるように、内装を自由に変更することができる仕組みに成っていて、多目的な利用を可能にしている。
【００１６】
仕切壁６によって隔てられた上記防音個室２に隣接する２番目の部屋は、浴槽や給湯器等の入浴設備とシャワー設備を備えた浴室３であって、通常は後述するサウナ浴と組合せてトータル的に入浴する場合に用いるが、勿論スポーツ後の入浴等に自由に利用することも可能であって、全体として防水構造が施されている。
【００１７】
また、仕切壁７によって隔てられた上記の浴室３に隣接する３番目の部屋は、内部又は外部にサウナストーブ（図示省略）を備え、且つ、内壁を桧の板張り８にすると共に、桧の座席４Ｚ又は椅子と照明器具４Ｒとを備えた総桧造りのサウナ室４で、全体は一般的なホームサウナと同様の構成（例えば前記特許文献１に記載のサウナ風呂と同様の構成）に造られていて、誰にでも適当な照明の下で座席４Ｚ又は椅子に座りながらサウナ浴を楽しむことができるように構成されている。
【００１８】
サウナ室４のスペースは、通常のホームサウナに比べてひとまわり広く造られており、また、必要に応じて各部屋２、３、４には窓を設けることによって、庭や屋外の自然を眺めながら各種の趣味やスポーツ等に親しんだり、サウナ浴や入浴或いはシャワー浴を楽しむことができるものであって、これ等部屋や諸設備をトータル的に利用することにより、サウナ入浴をより効果的に、また、システム的に行うことができる。
【００１９】
更に、ハウス体１の全体を例えば組立て及び分解自在で移築可能なプレハブ構造に造ることにより、一般家庭の庭や各種施設、会社、現場等の空きスペースを利用して極めて簡単に、且つ、比較的低コストにてホームサウナハウスを設置して利用できる利点を発揮することができる。
【図面の簡単な説明】
【００２０】
【図１】本発明に係るホームサウナハウスの全体とその内部の構成を説明した斜視図。
【図２】（Ａ），（Ｂ），（Ｃ）は多目的に利用可能な防音個室の使用例を説明した斜視図。
【図３】ハウス体をコテージ風に造った本発明の実施例を示した斜視図。
【図４】ハウス体をログハウス風（サウナ小屋風）に造った本発明の実施例を示した斜視図。
【図５】ハウス体の標準間取りを説明した説明図。
【符号の説明】
【００２１】
１，１Ｘ，１Ｙ            ハウス体
２                        防音個室
３                        浴室
４                        サウナ室
４Ｚ                      座席
４Ｒ                      照明器具
５，６，７                仕切壁
５Ｄ，６Ｄ，７Ｄ          ドアー
【図１】
2006265862.tif 000003
【図２】
2006265862.tif 000004
【図３】
2006265862.tif 000005
【図４】
2006265862.tif 000006
【図５】
2006265862.tif 000007